(57)【要約】【課題】落下等の衝撃を緩和して破瓶を防止でき、廃棄も容易な瓶梱包用緩衝材を提供する。【解決手段】下方から上方へかけて細くなる瓶Ｂを箱３１内で保持して緩衝する瓶梱包用緩衝材において、段ボールを材料として、複数枚の平板１乃至７を１８０°折曲可能に連設し、瓶Ｂのテーパーに応じて、平板１乃至４に大径の挿通穴８を、平板５及び６に小径の挿通穴９をそれぞれ穿設する。下部及び上部に同じ緩衝材を使用し、下部の緩衝材は、平板１乃至７を折り重ねて瓶Ｂを支持し、上部の緩衝材は、平板１乃至７を蛇腹状に折り曲げて瓶Ｂに絡み付かせ、瓶Ｂの揺れを防止する。【選択図】  図４
2004168338.tif 000002
【特許請求の範囲】
【請求項１】
下方から上方へかけて細くなる瓶を箱内で保持して緩衝する瓶梱包用緩衝材において、段ボールを材料として、複数枚の平板を１８０°折曲可能に連設し、それぞれの平板に、瓶のテーパーに応じて径が順次変化する挿通穴を並べて穿設したことを特徴とする瓶梱包用緩衝材。
【発明の詳細な説明】
【０００１】
【発明の属する技術分野】
この発明は、一升瓶のように下方から上方へかけて細くなる瓶の梱包に使用する段ボール製の緩衝材に関するものである。
【０００２】
【従来の技術】
一般に、清酒の一升瓶を梱包する際には、図６に示すように、発泡スチロール製の下部緩衝材２１及び上部緩衝材２２を使用する。下部緩衝材２１は、段ボールを材料とする縦長の箱３１の下部に挿入して、上面の大径凹所２３に瓶Ｂの底部を嵌め込み、瓶Ｂの荷重を支持する。上部緩衝材２２は、上下に貫通する挿通穴２４に瓶Ｂの首部を挿通して、瓶Ｂのテーパー部により箱３１の上部に保持されるように挿入し、瓶Ｂの揺れを防止する。
【０００３】
【発明が解決しようとする課題】
しかしながら、上記のような発泡スチロール製の緩衝材による梱包では、瓶の中間部が保持されていないため、落下等により大きな衝撃が作用すると、瓶が破損する恐れがある。また、開梱した後、廃棄する際には、箱と緩衝材とを分別して処理する必要がある。
【０００４】
そこで、この発明は、箱と同様に、段ボールを材料として、落下等の衝撃を緩和して破瓶を防止できる緩衝材を提供しようとするものである。
【０００５】
【課題を解決するための手段】
上記課題を解決するため、この発明は、下方から上方へかけて細くなる瓶を箱内で保持して緩衝する瓶梱包用緩衝材において、段ボールを材料として、複数枚の平板を１８０°折曲可能に連設し、それぞれの平板に、瓶のテーパーに応じて径が順次変化する挿通穴を並べて穿設したのである。
【０００６】
この緩衝材による梱包では、下部及び上部に同一の緩衝材を使用し、下部の緩衝材は、平板を折り重ねて瓶を支持し、上部の緩衝材は、平板が蛇腹状をなすように折り曲げて瓶に絡み付かせ、瓶の揺れを防止する。
【０００７】
【発明の実施の形態】
以下、この発明の実施の形態を添付図面に基づいて説明する。
【０００８】
この緩衝材は、複両面段ボール等の厚手の段ボールを材料として、打ち抜きにより形成される。この緩衝材のブランクでは、図１に示すように、７枚の略正方形の平板１乃至７が一列に連設され、その連設部分として、両面のライナに貫通する全切線に２箇所の繋部ａを設けた境界と、片面のライナのみ残して切断した半切線ｂの境界とが交互に配置されている。
【０００９】
平板１乃至４には、瓶の下部に対応する大径の挿通穴８がそれぞれ穿設され、平板５及び６には、瓶のテーパー状となった中間部に対応する小径の挿通穴９がそれぞれ穿設されている。平板７には、十字状の切目と小径円周上の弧状切目とを入れて、４枚の首当片１０が形成されている。
【００１０】
このブランクは、図２に示すように、繋部ａ及び半切線ｂから成る連設部で交互に逆向きに１８０°折り曲げることができ、この状態では、平板１乃至７が重なり合って、平板１乃至４の大径の挿通穴８が一致し、平板５及び６の小径の挿通穴９が一致して、その径の差により平板５の位置に段が形成される。
【００１１】
上記のような緩衝材を用いて清酒の一升瓶を梱包する際には、図２のように平板１乃至７を折り重ねた緩衝材を、図３に示すように、大径の挿通穴８が上に向くように縦長の箱３１の下部に挿入し、大径の挿通穴８に瓶Ｂの底部を嵌め込んで、小径の挿通穴９を有する平板５で瓶Ｂの荷重を支持する。
【００１２】
次いで、図４に示すように、上記緩衝材と同一のブランクから成る緩衝材を、平板１乃至７が蛇腹状をなすように、繋部ａ及び半切線ｂが形成された連設部で交互に逆向きに折り曲げ、大径の挿通穴８が下に向くようにして、瓶Ｂの首部から下方へかけて、各平板１乃至６の挿通穴８，９に瓶Ｂを挿通する。
【００１３】
そして、瓶Ｂの首部で首当片１０を押し上げ、これに伴い形成された開口部に瓶Ｂの首部を挿通すると、４枚の首当片１０の復元力で瓶Ｂの首部が締め付けられて、平板７が一定の高さに保持される。
【００１４】
一方、平板１乃至６は自重で垂下して、挿通穴８，９の周縁が瓶Ｂの外周に当接し、瓶Ｂに平板１乃至７が絡み付くような状態で、この緩衝材は箱３１に内挿され、瓶Ｂの揺れを防止する。
【００１５】
その後、箱３１の内蓋３２を閉じてその首入穴３３に瓶Ｂの首部を挿通し、フラップ３４及び蓋３５を順次閉じて、蓋３５の先端部を箱内に差し込み、封止片３６を封止穴３７に差し込んで封緘する。
【００１６】
このように、上記のような緩衝材による梱包では、下部用及び上部用として同一の緩衝材を使用でき、その使用方法も容易に理解できるので、宅配便等の集荷時に、迅速に瓶を梱包することができる。
【００１７】
また、上部の緩衝材の平板１乃至７が蛇腹状に瓶Ｂに絡み付いて、瓶Ｂの底部及び首部だけでなく、中間部も保持されるので、落下等の衝撃に対して、優れた緩衝性が得られ、破瓶を防止することができる。
【００１８】
なお、図３及び図４では、１本の瓶を梱包する例を示したが、図５に示すように、２本の瓶Ｂを梱包する際には、同一の緩衝材を４個使用し、幅が広い箱３１に下部用の緩衝材を２個横に並べて挿入し、これらの緩衝材にそれぞれ瓶Ｂの底部を嵌め込み、各瓶Ｂに上部用の緩衝材を絡み付かせるようにするとよい。
【００１９】
また、この場合、隣接する緩衝材間に、段ボールの縦仕切を挿入してもよい。
【００２０】
【実施例】
上記のような緩衝材を使用した清酒一升瓶の１本及び２本入り梱包物と、従来の発泡スチロール緩衝材を使用した梱包物の緩衝性を比較するため、ＪＩＳ−Ｚ０２０２に準じた落下試験を実施したので、その結果を以下に示す。
【００２１】
ここで、発泡スチロール緩衝材を使用した従来品の重量は、１本入り３．００ｋｇ、２本入り５．９０ｋｇであり、Ａ段の段ボール緩衝材を使用した検討品−１の重量は、１本入り３．１５ｋｇ、２本入り６．２５ｋｇであり、ＡＢ段の複両面段ボール緩衝材を使用した検討品−２の重量は、１本入り３．２５ｋｇ、２本入り６．４０ｋｇである。
【００２２】
また、Ｂ段の段ボールを使用した箱の内寸法（幅×奥行き×高さ）は、１本入り１５１×１５１×４２３ｍｍ、２本入り３０２×１５１×４２３ｍｍであり、落下部位の名称は、ＪＩＳ−Ｚ０２０１に基づいて、図７に示すように定める。
【００２３】
このような供試品について、常温下において、落下高さ８０ｃｍから１角３稜３面（２−３−５角、３−５稜、２−５稜、２−３稜、５面、２面、３面）の順で落下試験を行うと、表１に示すような結果となった。
【００２４】
【表１】
2004168338.tif 000003
【００２５】
この試験結果に表れたように、上記のような段ボール製の緩衝材を使用して酒瓶を梱包すると、輸送中に落下等により大きな衝撃が作用しても、破瓶する恐れはほとんどないということができる。
【００２６】
【発明の効果】
以上のように、この発明に係る緩衝材による梱包では、下部用及び上部用として同一の緩衝材を使用することができ、下部の緩衝材は平板を折り重ね、上部の緩衝材は平板を蛇腹状に瓶に絡み付かせて、簡単に瓶を梱包でき、落下等の衝撃を十分に緩和して、破瓶を防止することができる。
【図面の簡単な説明】
【図１】この発明に係る瓶梱包用緩衝材のブランクを示す図
【図２】同上の折り重ね状態を示す斜視図
【図３】同上の下部用緩衝材への瓶の嵌込状態を示す斜視図
【図４】同上の上部用緩衝材を瓶に絡み付かせた状態を示す斜視図
【図５】同上の瓶２本入りの梱包を示す斜視図
【図６】従来の発泡スチロール緩衝材による梱包を示す斜視図
【図７】供試用梱包物の落下部位の名称を示す斜視図
【符号の説明】
１乃至７  平板
８，９  挿通穴
１０  首当片
３１  箱
ａ  繋部
ｂ  半切線
Ｂ  瓶
【図１】
2004168338.tif 000004
【図２】
2004168338.tif 000005
【図３】
2004168338.tif 000006
【図４】
2004168338.tif 000007
【図５】
2004168338.tif 000008
【図６】
2004168338.tif 000009
【図７】
2004168338.tif 000010